(57)【要約】【課題】新生毛にのみパーマ液をかける場合において、新生毛にトリートメント剤が付着しないようにすると共に損傷毛にパーマ液が付着しないようにしたパーマ用シートとそのパーマ用シートを使用したパーマ方法を提供するものである。【解決手段】ロッド２８に髪２０と共に巻き付けるパーマ用シート１０を、液体が透過しない可撓性の素材から成るシート部１２と、そのシート部１２の片面に付着したトリートメント剤１４とから構成する。ロッド２８に髪２０を巻き付ける際に、損傷毛２６をトリートメント剤１４に接触させて、トリートメント剤１４を付着しない側のシート部１２を外側にして、損傷毛２６とパーマ用シート１０とをロッド２８に巻き付ける。このパーマ用シート１０が損傷毛２６と接触させる箇所は、損傷毛２６のうちの新生毛２４との境目から損傷毛２６の自由端側に向けてロッド２８の少なくとも一周以上の長さとする。【選択図】図４
2005200348.tif 000002
【特許請求の範囲】
【請求項１】
髪と共にロッドに巻き付けるためのものであって、液体が透過しない可撓性の素材から成るシート部と、そのシート部の片面に付着したトリートメント剤とから成ることを特徴とするパーマ用シート。
【請求項２】
前記トリートメント剤をゲル状のものとし、そのゲル状のトリートメント剤の外側を保護シートで覆ったことを特徴とする請求項１記載のパーマ用シート。
【請求項３】
前記トリートメント剤を乾燥状態としたことを特徴とする請求項１記載のパーマ用シート。
【請求項４】
損傷毛と新生毛とから成る髪とパーマ用シートとをそのパーマ用シートを前記損傷毛の外側にしてロッドに巻き付けるパーマ方法であって、パーマ用シートを可撓性の素材から成るシート部とそのシート部の片面に付着したトリートメント剤とから構成し、前記損傷毛における前記新生毛との境界位置から自由端側に向かう少なくとも前記ロッドの一周の長さ分に前記トリートメント剤を接合させることを特徴とするパーマ用シートを用いたパーマ方法。
【請求項５】
前記トリートメント剤をゲル状のものとすることを特徴とする請求項４記載のパーマ用シートを用いたパーマ方法。
【請求項６】
前記トリートメント剤を乾燥状態としたことを特徴とする請求項４記載のパーマ用シートを用いたパーマ方法。
【発明の詳細な説明】
【技術分野】
【０００１】
本発明は、パーマをかける際に使用するパーマ用シートとそのパーマ用シートを用いたパーマ方法に関する。
【背景技術】
【０００２】
従来から、髪にパーマをかける方法として、電熱によるものとパーマ液によるものとが知られている。パーマ液によってパーマをかける場合には、第一パーマ液と第二パーマ液とを使用し、最初に第一パーマ液で髪の分子の結合を切断し、次に第二パーマ液で分子を再結合させて髪に特定の形を定着させるものである。
【０００３】
ここで、パーマをかける髪を図５に示す。髪２０は、頭部２２側から新しく生えた新生毛２４と、新生毛２４の先にあって例えば従来からパーマがかけてある損傷毛２６から成るものとする。次に、パーマ液を使用してパーマをかける場合に必要な部品を図６に示す。その部品は、髪２０を巻き付けるための筒状のロッド２８と、そのロッド２８に髪２０と共に巻き付けるための可撓性のあるパーマ用シート３０とを用いる。従来用いられているパーマ用シート３０の素材は、水を吸収透過する紙または不織布である。
【０００４】
最近ではパーマをかける際に、損傷毛２６に同時にトリートメントを施すのが一般的となっており、このトリートメントを施す方法が特許文献１に示されている。従来からパーマがかかっている損傷毛２６の内部組織は相当の損傷を受けており、パサつきが出たり、枝毛ができたり、スタイリングがしにくい等の欠点があるため、トリートメント剤によって損傷毛２６に生じている欠点を補修するためである。
【特許文献１】特開平７−５１１１９号公報（第２−４頁）
【０００５】
ここで、新生毛２４にのみパーマをかけ、損傷毛２６にはトリートメントを施す従来の方法を図６に基づいて説明する。先ず、図５に示す髪２０のうち、損傷毛２６に液体のトリートメント剤を手作業で塗布する。次に、損傷毛２６の自由端側から髪２０をロッド２８に巻き付けてゆくが、その際にパーマ用シート３０を損傷毛２６の外側にして、損傷毛２６とパーマ用シート３０とをロッド２８に巻いてゆく。この際、パーマ用シート３０は損傷毛２６をロッド２８に巻き付けるためのものであるので、パーマ用シート３０はロッド２８に１回程度巻き付けるのが一般的である。その後、損傷毛２６から新生毛２４まで（頭部２２側まで）をロッド２８に巻き付ける。
【０００６】
髪２０をロッド２８に巻き付けた状態で、新生毛２４にのみパーマ液をかけるが、損傷毛２６にはパーマ液がかからないようにする。これは、損傷毛２６に塗ったトリートメント液が新生毛２４に付着すると新生毛２４へのパーマのかかりが悪くなり、損傷毛２６にパーマ液がかかるとトリートメントの効果が少なくなるためである。
【発明の開示】
【発明が解決しようとする課題】
【０００７】
図６に示すように、髪２０をロッド２８に巻き付けた場合に、パーマ用シート３０の長さが短いと、新生毛２４は損傷毛２６に接触する。この結果、損傷毛２６に塗ったトリートメント液が新生毛２４に付着して、新生毛２４へのパーマのかかりが悪くなり、損傷毛２６にパーマ液がかかってトリートメントの効果が少なくなるという不具合が発生した。
【０００８】
そこで本願発明者は、パーマ用シート３０の長さを長くして、パーマ用シート３０で損傷毛２６の全域を覆い、パーマ用シート３０によって新生毛２４と損傷毛２６とが直接接触しないようにしてみた。しかし、紙または不織布から成るパーマ用シート３０は水を吸収透過するため、損傷毛２６に塗ったトリートメント液がパーマ用シート３０を透過して新生毛２４に付着して、新生毛２４へのパーマのかかりが悪くなるという不具合は解消できなかった。また、新生毛２４にのみかけたパーマ液がパーマ用シート３０を透過してトリートメント液を塗った損傷毛２６に付着し、損傷毛２６に塗ったトリートメント液の効果が少なくなるという不具合も解消できなかった。
【０００９】
本発明は上記の点に鑑みてなされたもので、新生毛にのみパーマ液をかける場合において、新生毛にトリートメント剤が付着しないようにすると共に損傷毛にパーマ液が付着しないようにしたパーマ用シートとそのパーマ用シートを使用したパーマ方法を提供することを目的とするものである。
【課題を解決するための手段】
【００１０】
本発明に係るパーマ用シートは、髪と共にロッドに巻き付けるためのものであって、液体が透過しない可撓性の素材から成るシート部と、そのシート部の片面に付着したトリートメント剤とから成るものである。このパーマ用シートはまた、前記トリートメント剤をゲル状のものとし、そのゲル状のトリートメント剤の外側を保護シートで覆うようにしたものである。このパーマ用シートは更に、前記トリートメント剤を乾燥状態としたものである。
【００１１】
本発明に係るパーマ用シートを用いたパーマ方法は、損傷毛と新生毛とから成る髪とパーマ用シートとをそのパーマ用シートを前記損傷毛の外側にしてロッドに巻き付けるパーマ方法であって、パーマ用シートを可撓性の素材から成るシート部とそのシート部の片面に付着したトリートメント剤とから構成し、前記損傷毛における前記新生毛との境界位置から自由端側に向かう少なくとも前記ロッドの一周の長さ分に前記トリートメント剤を接合させるようにしたものである。このパーマ方法はまた、前記トリートメント剤をゲル状のものとするものである。このパーマ方法は更に、前記トリートメント剤を乾燥状態としたものである。
【発明の効果】
【００１２】
パーマ用シートの主構成部材であるシート部を液体が透過しない素材で構成し、損傷毛における新生毛に近い位置をロッドの一周以上にわたってシート部で巻くので、損傷毛と新生毛との間に液体の通過が遮断される。この結果、新生毛にパーマ液をかけても、そのパーマ液が損傷毛にかかることが無く、損傷毛がパーマ液で損傷されることを防止することができ、しかも損傷毛をトリートメント剤でケアすることができる。また、損傷毛をケアするためのトリートメント剤が新生毛に付着することが無いので、新生毛へのパーマのかかりが悪くなるという不具合の発生を防止することができる。また、損傷毛２６に手作業でトリートメント剤を塗るという手間を省いて、パーマの作業時間を短縮することができる。
【発明を実施するための最良の形態】
【００１３】
次に本発明を図面に基づいて説明する。
図１は本発明に係るパーマ用シートの部分拡大断面図である。パーマ用シート１０は、液体が透過しない可撓性の素材から成る主構成部材としてのシート部１２と、そのシート部１２の片面に付着させたトリートメント剤１４とから成るものである。シート部１２は、液体が透過しないものであれば、防水紙やビニール等、どのような素材のものであっても良い。シート部１２の大きさは、特に限るものではないが使いやすい大きさであれば良く、大きい場合には必要に応じて所望の大きさに切断すれば良い。
【００１４】
このシート部１２の片面に付着するトリートメント剤１４の一例としては、髪２０に容易に接着するゲル状（ゼリー状、ペースト状）のものが考えられる。トリートメント剤１４がゲル状であれば、トリートメント剤１４はシート部１２の片面から容易に剥離せず、しかも損傷毛２６の表面にトリートメント剤１４を容易に接触できる。トリートメント剤１４がゲル状のものである場合には、トリートメント剤１４の露出面を保護シート１６で覆うことで、トリートメント剤１４が外部のものにくっついてシート部１２から剥がれないようにする(図１)。
【００１５】
パーマ用シート１０の他の例としては、シート部１２の片面に付着したトリートメント剤１４を乾燥状態にしたものが考えられる。シート部１２の片面に付着したトリートメント剤１４を乾燥状態にするためには、シート部１２に液体のトリートメント剤１４を塗布して乾燥させるようにしても、接着作用を果たす素材を介して乾燥した粉末のトリートメント剤１４をシート部１２に付着させるようにしても良い。トリートメント剤１４が乾燥状態の場合には、図１に示す保護シート１６は不用である。保護シート１６を不用としたトリートメント剤１４を用いる場合には、保護シート１６をめくる手間を省略できるので、作業時間を短縮できる利点がある。
【００１６】
次に、図１に示したパーマ用シート１０を使用してパーマをかける状態を図２乃至図４に基づいて説明する。なお、図２乃至図４において図５及び図６と同一符号は同一部材を示す。図２に示すように、ロッド２８に損傷毛２６の自由端を巻く際に、先ず損傷毛２６の自由端側とパーマ用シート１０のトリートメント剤１４とを接触させ、次に損傷毛２６の自由端側をロッド２８に接触させて（ロッド２８を中心とすると損傷毛２６の外側にパーマ用シート１０を配置して）、ロッド２８に損傷毛２６とパーマ用シート１０とを自由端側から順に巻いてゆく。
【００１７】
トリートメント剤１４がゲル状のものである場合には、損傷毛２６をパーマ用シート１０のトリートメント剤１４側に接触させるだけで、損傷毛２６とパーマ用シート１０とを簡単に付着させることができる。また、トリートメント剤１４が乾燥状態にある場合には、損傷毛２６を水で濡らして、その水で濡らした損傷毛２６をパーマ用シート１０のトリートメント剤１４側に接触させるだけで、損傷毛２６をパーマ用シート１０に簡単に接着状態にすることができる。乾燥状態にあったトリートメント剤１４は水で濡らした損傷毛２６によって溶け出し、その溶け出したトリートメント剤１４が損傷毛２６の表面に付着して、損傷毛２６がケアされる。
【００１８】
損傷毛２６が長い場合には、何枚ものパーマ用シート１０を継ぎ足して、損傷毛２６の長さ全体にパーマ用シート１０のトリートメント剤１４側を接触させる。損傷毛２６の全域（自由端から新生毛２４との境目まで）に、損傷毛２６にパーマ用シート１０のトリートメント剤１４を接触させる（図３）のが望ましい。損傷毛２６の全域をロッド２８に巻き付けた後、新生毛２４をロッド２８に巻き付ける（図４）。この新生毛２４はパーマ用シート１０では覆わない。髪１０の全体をロッド２８に巻き付けた状態（図４）では、損傷毛２６はその長さの全域にわたってトリートメント剤１４と接触した状態で、パーマ用シート１０に覆われている。この結果、本発明に係るパーマ用シート１０を使用すれば、損傷毛２６に手作業でトリートメント剤を塗るという手間が省け、しかも損傷毛２６はトリートメント剤１４によってケアされることになる。
【００１９】
一方、新生毛２４はパーマ用シート１０の外部に巻かれるが、その新生毛２４が接触するパーマ用シート１０の箇所はトリートメント剤１４が付着していない側のシート部１２となる（図４）。即ち、新生毛２４にはパーマ用シート１０のトリートメント剤１４が接触することが無い。図４の状態から、新生毛２４にパーマ液をかける（最初に第一パーマ液をかけ、その後時間を空けて第二パーマ液をかける）と、パーマ液は新生毛２４にかかると共に、新生毛２４が接触する位置の内側のパーマ用シート１０の外表面にもパーマ液がかかる。しかし、パーマ用シート１０のシート部１２は液体が透過しない素材から成るので、パーマ用シート１０の内側に覆われている損傷毛２６にはパーマ液がかかることはない。
【００２０】
以上のように、片面にトリートメント剤１４を付着させたパーマ用シート１０を使用することで、新生毛２４にはトリートメント剤を付着させないでパーマ液のみをかけることができる。また、損傷毛２６にはパーマ液を遮断してトリートメント剤１４のみを接触させることができ、パーマをかけている間に損傷毛２６はトリートメント剤１４によってケアすることができる。よって本発明は、新生毛２４にトリートメント剤が付着してパーマのかかりが悪くなる不具合の発生を防止すると共に、損傷毛２６に手作業でトリートメント剤を塗るという手間を省いて、パーマの作業時間を短縮することができる。
【００２１】
なお、前述の説明では、損傷毛２６の全域にパーマ用シート１０を接触させるとしたが、損傷毛２６のうちの新生毛２４との境目の位置から自由端側に向けてロッド２８の少なくとも一周以上の長さをパーマ用シート１０としても良い。これは、損傷毛２６においてトリートメント剤でケアする必要性が殆どない場合があり、その場合には損傷毛２６における新生毛２４との境界位置から自由端側に向けて、ロッド２８の少なくとも一周の長さをパーマ用シート１０で覆うようにすれば、ロッド２８に巻き付けた損傷毛２６の全域をパーマ液から遮断することができ、しかもパーマ用シート１０の内側に位置する何重にも巻いた損傷毛２６をシート部１２の片面に付着したトリートメント剤１４でケアすることができる。この場合においても、ロッド２８に損傷毛２６の自由端を巻きつける際にシートを使用するが、このシートは従来の紙や不織布から成るパーマ用シート３０を使用しても、本発明のパーマ用シート１０を使用しても良い。
【図面の簡単な説明】
【００２２】
【図１】本発明に係るパーマ用シートの部分拡大断面図である。
【図２】損傷毛の自由端を本発明に係るパーマ用シートと共にロッドに巻き付ける状態を示す側面図である。
【図３】損傷毛の新生毛との境界までを本発明に係るパーマ用シートと共にロッドに巻き付ける状態を示す側面図である。
【図４】新生毛の根元までをロッドに巻き付ける状態を示す側面図である。
【図５】頭部と髪を示す構成図である。
【図６】髪をパーマ用シートと共にロッドに巻き付ける従来既知の状態を示す側面図である。
【符号の説明】
【００２３】
１０    パーマ用シート
１２    シート部
１４    トリートメント剤
１６    保護シート
２０    髪
２２    頭部
２４    新生毛
２６    損傷毛
２８    ロッド
３０    パーマ用シート
【図１】
2005200348.tif 000003
【図２】
2005200348.tif 000004
【図３】
2005200348.tif 000005
【図４】
2005200348.tif 000006
【図５】
2005200348.tif 000007
【図６】
2005200348.tif 000008